(57)【特許請求の範囲】
【請求項１】
コンタクトを有したボディと、このボディに対するカード挿抜方向に沿ってイジェクト位置・ロック位置の間でスライド作動自在に形成されたスライダーと、このスライダーに対しイジェクト位置方向に付勢力を作用させる付勢機構と、前記スライダーをロック位置に保持するロック機構とを備え、
前記ロック機構が、カードの挿入時にスライダーをロック位置に保持し、この後、再度挿入方向に操作することでロックを解除してイジェクト位置までスライダーの作動を許すようにカム体と、カム体に接触するフックを先端に備えたピンとで成るハートカム式に構成されているカードコネクタであって、
前記カム体は、カード挿入時に前記フックが移動する直線状の往路と、カード排出時にフックが移動する直線状の復路とが直線状の壁部を挟んで互いに平行する姿勢で形成され、前記フックが係合することによって前記スライダーをロック位置に保持するロック凹部が前記壁部の端部に形成され、
前記ロック位置からカードを挿入方向に操作した際のスライダーの移動時に、前記フックに接当して前記復路に案内するガイド部を前記カム体に形成し、
前記ピンの長手方向と、前記壁部の長手方向とが共通の仮想直線上に存在するようにピンの目標姿勢を設定し、このピンを目標姿勢に維持する付勢力を作用させる姿勢維持部を備え、
線状のバネ材を折り曲げることにより、平行する姿勢の一対の延出部を形成し、一方の延出部の先端に前記フックを形成することで、この延出部を前記ピンとして構成し、他方の延出部の先端にカード側面の凹状の被係合部に係合する係合部を形成すると共に、このバネ材を前記スライダーに備え、カム体を前記ボディに備えているカードコネクタ。
【請求項２】
一対の前記延出部夫々の基端部位を、一対の延出部が存在する仮想平面と直交する方向に折り曲げて嵌合部が形成され、この嵌合部を前記スライダーに嵌合保持している請求項１記載のカードコネクタ。
【発明の詳細な説明】
【技術分野】
【０００１】
本発明は、コンタクトを有したボディと、このボディに対するカード挿抜方向に沿ってイジェクト位置・ロック位置の間でスライド作動自在に形成されたスライダーと、このスライダーに対しイジェクト位置方向に付勢力を作用させる付勢機構と、前記スライダーをロック位置に保持するロック機構とを備え、前記ロック機構が、カードの挿入時にスライダーをロック位置に保持し、この後、再度挿入方向に操作することでロックを解除してイジェクト位置までスライダーの作動を許すようにカム体と、カム体に接触するフックを先端に備えたピンとで成るハートカム式に構成されているカードコネクタに関する。
【背景技術】
【０００２】
従来のカードコネクタとして、カード保持部材に対してスライド移動自在にスライダを支持し、このスライダをイジェクト方向に付勢するコイルバネを備え、スライダに係合突出部を有した揺動部材を備え、この揺動部材の揺動端に形成したカム突出部を、カード保持部材に形成したカム溝に係入させたものが存在する（例えば、特許文献１参照）。
【０００３】
この特許文献１では、メモリカード等のカードを挿入した場合には、カードに形成された係合凹部に対して前記係合突出部が係合してカードの脱落を阻止する状態となる。更にカードとの接当によってカード保持部材の内部でスライダが移動してロック状態に達し、このロック状態からカードを再度挿入方向に操作することでロック状態が解除され、カードを取り出せるものである。
【０００４】
また、従来のカードコネクタとして、インシュレータに対してスライド移動自在に可動プレートを支持し、この可動プレートを排出方向に付勢するコイルバネを備えたものが存在する。可動プレートでは、プレスと打ち抜き加工により、この可動プレートと一体的にガイドピンを形成している。このガイドピンは弾性的に変形するものであり、その先端部を、インシュレータに備えたハート型のカム機構のガイドレール（溝）に係合させている（特許文献２参照）。
【０００５】
この特許文献２では、カードを挿入した場合には、可動プレートがスライド作動するものとなり、このスライド作動時にはガイドピンがカム機構のガイドレールに案内されることによりロック状態に達し、このロック状態においてカードを再度挿入方向に操作した場合にはロックが解除され、カードを取り出せるものである。
【０００６】
【特許文献１】特開２００１‐１８５２８６号公報  （請求項１、段落番号〔００１９〕〜〔００３４〕、図１〜図７）
【特許文献２】特許第３４０７１９４号公報  （段落番号〔０００８〕〜〔００１８〕、図１〜図７）
【発明の開示】
【発明が解決しようとする課題】
【０００７】
デジタルカメラで使用されるデータ記憶用のカード類や、携帯電話機に使用されるデータ記憶用のカード類では、カードの小型化、薄型化が進んでおり、この小型化を損なわないようにカードコネクタの小型化が望まれている。
【０００８】
ハートカム式のロック機構を備えているカードコネクタでは、ロック機構の小型化も望まれる。このロック機構のサイズは、往路と復路とを有するカム体の領域の面積と、カム体の厚みとで決まる。また、カム体では、ピンの先端部を案内するようにカム溝に段部を形成するため、この段部の数によって厚みが決まる。
【０００９】
ロック機構の小型化に着目すると、特許文献１に示されるようにロック機構のカム溝に複数の段部が形成されるものではロック機構を薄く形成することが困難となる。これに対して特許文献２に示されるように、ガイドピンを弾性的に所定の方向に付勢するものでは、段部の数を低減して薄く形成することが可能になる。
【００１０】
特許文献２に記載されるものでは、カードが挿入されない状態におけるガイドピンを中立姿勢とした場合、カードを挿入した際には、ガイドピンを一方の方向に比較的大きく弾性変形させ、このガイドピンを中立方向に復元させる領域の中間位置の凹部に対してガイドピンの先端を係合してロック状態を現出している。
【００１１】
しかしながら、この凹部にガイドピンの先端が係合する際には、ガイドピンの先端部に対してガイドピンから復元方向に付勢力が作用する状況にあるため、この凹部にガイドピンの先端部を確実に係合するために凹部を深く形成する必要がある等、溝部の大型化を招くものであった。
【００１２】
本発明の目的は、ロック機構の小型化により全体の小型化が可能なカードコネクタを合理的に構成する点にある。
【課題を解決するための手段】
【００１３】
本発明の特徴は、コンタクトを有したボディと、このボディに対するカード挿抜方向に沿ってイジェクト位置・ロック位置の間でスライド作動自在に形成されたスライダーと、このスライダーに対しイジェクト位置方向に付勢力を作用させる付勢機構と、前記スライダーをロック位置に保持するロック機構とを備え、前記ロック機構が、カードの挿入時にスライダーをロック位置に保持し、この後、再度挿入方向に操作することでロックを解除してイジェクト位置までスライダーの作動を許すようにカム体と、カム体に接触するフックを先端に備えたピンとで成るハートカム式に構成されているカードコネクタであって、
前記カム体は、カード挿入時に前記フックが移動する直線状の往路と、カード排出時にフックが移動する直線状の復路とが直線状の壁部を挟んで互いに平行する姿勢で形成され、前記フックが係合することによって前記スライダーをロック位置に保持するロック凹部が前記壁部の端部に形成され、前記ロック位置からカードを挿入方向に操作した際のスライダーの移動時に、前記フックに接当して前記復路に案内するガイド部を前記カム体に形成し、前記ピンの長手方向と、前記壁部の長手方向とが共通の仮想直線上に存在するようにピンの目標姿勢を設定し、このピンを目標姿勢に維持する付勢力を作用させる姿勢維持部を備え、線状のバネ材を折り曲げることにより、平行する姿勢の一対の延出部を形成し、一方の延出部の先端に前記フックを形成することで、この延出部を前記ピンとして構成し、他方の延出部の先端にカード側面の凹状の被係合部に係合する係合部を形成すると共に、このバネ材を前記スライダーに備え、カム体を前記ボディに備えている点にある。
【００１４】
この構成によると、カム体の往路と復路とを直線上の壁部を挟んで平行する姿勢で形成しているのでカム体の幅方向の寸法を小さくできる。また、カードを挿入した際には、ピンのフックがカム体の往路を移動してロック凹部の位置に達する。この位置では姿勢維持部によってピンのフックがロック凹部の方向に付勢されるので、フックを段部でガイドしなくともフックをロック凹部に導入してロック状態を現出する。これにより、カム体の段部の数を低減してカム体の厚さを低減できる。従って、ロック機構の小型化により全体の小型化が可能なカードコネクタが合理的に構成された。
【００１５】
また、ロック状態に達した後に、カードを再度挿入方向に操作することにより、ピンのフックがガイド部に接触することにより復路に案内できる。
【００１６】
また、線状のバネ材を折り曲げることによりカム機構を構成するピンと、カード側面の凹状の被係合部に係合する係合部とを一体的に形成できる。
【００１７】
本発明は、一対の前記延出部夫々の基端部位を、一対の延出部が存在する仮想平面と直交する方向に折り曲げて嵌合部が形成され、この嵌合部を前記スライダーに嵌合保持しても良い。これによると、嵌合部をスライダーに嵌合保持することにより姿勢を安定させて保持できる。
【発明を実施するための最良の形態】
【００１８】
以下、本発明の実施形態を図面に基づいて説明する。
〔全体構成〕
図１〜図４に示すように、複数のコンタクト１を有したボディＢと、このボディＢに対するカード挿抜方向に沿ってイジェクト位置Ｅｊ及びロック位置Ｌｏ（図２を参照）の間でスライド作動自在に備えられたスライダーＳと、このスライダーＳに対しイジェクト位置方向に付勢力を作用させる付勢機構としての圧縮コイルバネ２と、前記スライダーＳをスライド作動方向における前記ロック位置Ｌｏに保持するロック機構Ｌと、これらを覆うカバーＣとを備えてカードコネクタが構成されている。
【００１９】
このカードコネクタは、デジタルカメラや携帯電話機、あるいは、携帯情報端末（ＰＤＡ）等の機器に備えられるものであり、これらに機器に対してフラッシュメモリ型の記憶媒体としてスマートメディア（商標) やメモリースティック（商標) 、あるいは、ＳＤカード（商標）で代表されるカードＭや、小型のハードディスクとしてマイクロドライブ（商標）で代表されるカードＭの装着と分離とを実現するものである。
【００２０】
該カードコネクタにカードＭを挿入した際には、図２（ａ）、（ｂ）に示すように、カードＭとの接当によりスライダーＳがスライド作動し、このスライダーＳが前記ロック位置Ｌｏに達した時点でスライダーＳが保持される。このロック位置ＬｏではカードＭの複数の電極ＰがボディＢのコンタクト１に接触して導通状態に達する。次に、このロック状態で前記カードＭを挿入方向に再度操作した際にはロック機構Ｌのロックが解除され、圧縮コイルバネ２の付勢力によってスライダーＳをイジェクト位置Ｅｊまで戻すよう作動形態が設定され、この作動形態はハートカム式のロック機構Ｌが現出する（このロック機構の詳細は後述する）。
【００２１】
本発明のカードコネクタに対応したカードＭの一例として、図１、図２に示す形状のものを例に挙げると、このカードＭは長手方向（挿抜方向に沿う方向）の寸法と、幅方向の寸法とに比較して厚さの寸法が小さく設定され、端部に複数の電極Ｐを備え、端部の角部を取り除いて誤挿入防止用の切り欠き部Ｎが形成され、この切り欠き部Ｎが形成された側縁側には凹状となる被係合部Ｄが形成されている。
【００２２】
前記ボディＢは絶縁性の樹脂材によりベース部１０と、カードＭが挿入される部位と反対側の端壁部１１と、ボディＢの一方の側部に形成された側壁部１２と、この側壁部１２と隣接する位置のスライダーガイド部１３とが一体形成されている。また、ベース部１０には複数のコンタクト１が嵌合支持され、端壁部１１のうちスライダーガイド部１３に対応する部位には圧縮コイルバネ２を支持するバネガイド１４が一体突出形成され、側壁部１２のうちカードＭが挿入される部位にはスライダーＳに接当するストッパー１５が一体形成されている。更に、このストッパー１５と側壁部１２とに隣接する位置にロック機構Ｌを構成するカム体ＣＡＭが一体形成されている。
【００２３】
前記スライダーＳは樹脂材で成り、スライダー本体２０に対して前記カードＭの切り欠き部Ｎに接当する接当部２１と、嵌合凹部２２と、レバー溝２３とが一体形成されている。嵌合凹部２２は前記ロック機構Ｌを構成するピン４０と、このピン４０と一体的に形成されたレバー４５との基端を嵌合支持するように凹状に形成され、レバー溝２３はレバー４５を配置するように溝状に形成されている。
【００２４】
前記カバーＣは、アルミニウム合金や、銅合金の薄板のように加工が比較的容易で適度の剛性を有した金属素材のプレス成形物である。このカバーＣは、カバー本体３０と、ボディＢの端壁部１１に形成されたスリットの部位に嵌り込む一対の突出体３１と、ボディＢの両側部を抱き込む側壁体３２と、ボディＢの側壁部１２の端部に接当する接当体３３と、カム体ＣＡＭを覆う位置においてピン４０に押圧力を作用させるように付勢力を作用させるように舌片状の押圧体３４とが一体形成されている。
【００２５】
特に、ボディＢの側壁部１２と、この側壁部１２の反対側に位置するベース部１０の端面とには係合片が突出形成されている。また、カバーＣの側壁体３２には係合片が係入する孔部が形成されている。このような構成からボディＢに形成された係合片にカバーＣの孔部を係合させることでボディＢとカバーＣとが連結状態に達する。
【００２６】
〔ロック機構〕
ロック機構Ｌはカム体ＣＡＭと、ピン４０とで構成されている。図３に示すようにピン４０とレバー４５とはピアノ線等の線状のバネ材を屈曲成形することにより、平行する一対の延出部として形成されている。ピン４０の先端部には、このピン４０の先端部をカム体ＣＡＭの方向に折り曲げたフック４１が形成されている。レバー４５の先端部には、このレバー４５の先端部をカードＭの方向に折り曲げることにより、カード側面の凹状の被係合部Ｄに係合する係合部４６が形成されている。
【００２７】
また、延出部としてのピン４０とレバー４５とが存在する仮想平面と直交する方向に、このピン４０とレバー４５との基端部を折り曲げて嵌合部４３を形成し、この嵌合部４３をスライダーＳの嵌合凹部２２に嵌め込むことによりピン４０とレバー４５との姿勢が維持される。
【００２８】
特に、ピン４０とレバー４５とを単一のバネ材の屈曲成形によって作り出しているので、夫々を独立して作り出したものと比較して、組み立ての工程を少なくできる。また、「コ」字状に形成される幅広の基端部を嵌合部４３として、この嵌合部４３を嵌合凹部２２に嵌め込むので、ピン４０とレバー４５との姿勢が安定する。後述するように、ピン４０の姿勢は目標姿勢に維持する機能を確実に現出する。
【００２９】
カム体ＣＡＭは、カード挿入時に前記フック４１が移動する直線状の往路Ｇｆと、カード排出時にフックが移動する直線状の復路Ｇｒとを有するカム溝Ｇが直線状の壁部５０を挟んで互いに平行する姿勢で形成されている。壁部５０の端部にはフック４１が係合することによって前記スライダーＳをロック位置Ｌｏに保持するロック凹部Ｇｔが形成されている。更に、カム体ＣＡＭにはロック位置ＬｏからカードＭを挿入方向に操作した際のスライダーＳの移動時に、フック４１に接当して前記復路Ｇｒに案内するガイド部５１が形成されている。
【００３０】
図５（ａ）に示すように、ピン４０の長手方向と、前記壁部５０の長手方向とが共通の仮想直線Ｘ上に存在するようにピン４０の目標姿勢を設定し、この目標姿勢に維持するようにバネ材で成るピン自身によって姿勢維持部が構成されている。同図に示す如く平面視において前記仮想直線Ｘは壁部５０の幅方向での中央位置に設定され、この仮想直線Ｘとピン４０の軸芯とが一致する位置に配置される。尚、ピン４０の姿勢を維持するために専用のバネを備えることで姿勢維持部を構成しても良い。
【００３１】
このロック機構Ｌは、カードコネクタにカードＭが挿入されない位置、つまり、スライダーＳがイジェクト位置Ｅｊに存在する状態においては、ピン４０のフック４１が待機位置ＥＰに存在する。この待機位置ＥＰではピン４０には外力が作用せず、ピン４０自身の付勢力によってピン４０が目標姿勢にあるため、フック４１が仮想直線Ｘ上に存在することになる。
【００３２】
また、カードコネクタにカードＭが挿入された結果、スライダーＳがロック位置Ｌｏに存在する状態においては、ピン４０のフック４１がロック凹部Ｇｔのロック保持位置ＬＰに存在する。このロック保持位置ＬＰではピン４０は長手方向に圧力が作用するものの、ピン４０自身の付勢力によってピン４０が目標姿勢にあるため、フック４１が仮想直線Ｘ上に存在することになる。
【００３３】
図５（ａ）、（ｂ）に示すように、カム溝Ｇは待機位置ＥＰからロック保持位置ＬＰに至る往路Ｇｆにおいては、待機位置ＥＰにおける部位が最も深い底壁が形成される。＃０１位置から＃０２位置に亘る領域では底壁が徐々に浅くなる傾斜姿勢で形成され、＃０２位置から＃０３位置の領域において最も浅い底壁が形成される。＃０３位置からロック保持位置ＬＰの側に超えた部位が一段深くなるように、この＃０３位置が段部として形成される。
【００３４】
＃０３位置から＃０４位置に亘る領域にロック保持位置ＬＰが配置される。＃０４から復路Ｇｒの側に超えた部位が更に一段深くなるように、この＃０４位置が段部として形成される。また、この＃０４位置と次の＃０５位置とに亘る領域が最も深い底壁が形成される。この復路Ｇｒでは、＃０５位置から＃０６位置に亘る領域において底壁が徐々に浅くなる傾斜姿勢で形成され、＃０６から＃０７位置の領域において最も浅い底壁が形成される。そして、＃０７位置から待機位置ＥＰに側に超えた部位が最も深くなるように、この＃０７位置が段部として形成されている。
【００３５】
ガイド部５１は、フック４１がロック保持位置ＬＰに存在する状態でカードＭが再度挿入方向に操作された場合に、フック４１に接触することにより、フック４１を復路Ｇｒの方向に案内するように、フック４１に接触する面が仮想直線Ｘを跨ぐ領域において傾斜姿勢で形成されている。
【００３６】
〔カードコネクタの作動形態〕
スライダーＳがイジェクト位置Ｅｊにある状況でカードを挿入した場合には、まず、カードＭ側面の被係合部Ｄに対して係合部４６が係合してカードＭの脱落を防止する状態に達する。この挿入を継続することにより、カードＭがスライダーＳに接当した状態で、カードＭとスライダーＳとが一体的に挿入方向に移動する。
【００３７】
このようにスライダーＳが移動を開始した場合には、ピン４０のフック４１が待機位置ＥＰから往路Ｇｆの方向に移動を開始する。このように移動を開始する際には＃０７位置の段部によって復路Ｇｒの方向へのフック４１の移動が阻止されるため、フック４１が復路Ｇｒの方向に誤って進入することがない。
【００３８】
カードＭの挿入を継続して行うことにより、ピン４０から作用する付勢力によりフック４１が壁部５０に接触する状態で往路Ｇｆで移動を行う。この往路Ｇｆでは、カバー本体３０に形成された押圧体３４からの圧力がピン４０に作用するため、フック４１が往路Ｇｆ（カム溝Ｇ）の底壁から浮き上がることはない。
【００３９】
この移動によりフック４１は＃０３の段部を超えるものとなり、スライダーＳも作動端に達する。作動端に達したことは操作感覚でオペレータが認識できるものとなり、オペレータが操作力を低下させることにより圧縮コイルバネ２の付勢力によってスライダーＳがイジェクト方向に少し変位する。この変位の際にフック４１は＃０３の段部によって往路Ｇｆの方向へのフックの移動が阻止されるため、フック４１が往路Ｇｆに誤って進入することがなく、フック４１はロック凹部Ｇｔに導入される。
【００４０】
フック４１がロック凹部Ｇｔに導入された後には、圧縮コイルバネ２の付勢力によってフック４１がロック凹部Ｇｔの内面に接触した状態を維持する。このスライダーＳの位置がロック位置Ｌｏである。また、この状態ではピン４０から作用する付勢力によってフック４１は仮想直線Ｘ上に存在することになる。このようにスライダーＳがロック位置Ｌｏに維持される状態において、カードＭの電極ＰがボディＢのコンタクト１接触して導通状態に達して情報のアクセスが実現する。
【００４１】
次に、カードＭを挿入方向に操作した場合には、スライダーＳと一体的の移動に伴いフック４１がガイド部５１に接触することで、このフック４１が＃０４の段部を超えて最も深い底壁に導入される。
【００４２】
この状態でカードＭを操作する力を解除することにより、圧縮コイルバネ２の付勢力によってスライダーＳがイジェクト方向に移動を開始する。このように移動を開始する際には＃０４位置の段部によってロック保持位置ＬＰの方向へのフック４１の移動が阻止されるため、フック４１がロック保持位置ＬＰに誤って進入することがない。
【００４３】
また、スライダーＳの移動に伴いフック４１が復路Ｇｒの方向に移動を開始し、＃０５位置から＃０６位置に達し、更に、＃０７位置の段部を超えて待機位置ＥＰに達する。これによりスライダーＳがイジェクト位置Ｅｊに達しカードＭのイジェクトが完了する。
【００４４】
このようにフック４１が移動する際には、ピン４０から作用する付勢力によりフック４１が壁部５０に接触する状態で移動を行う。この復路Ｇｒでは、カバー本体３０に形成された押圧体３４からの圧力がピン４０に作用するため、フック４１が復路Ｇｒ（カム溝Ｇ）の底壁から浮き上がることはない。
【００４５】
〔本発明の概念〕
このように本発明によると、カム体ＣＡＭの往路Ｇｆと復路Ｇｒとを直線上の壁部５０を挟んで平行する姿勢で形成しているのでカム体ＣＡＭの幅方向の寸法を小さくできる。また、カードＭを挿入した際には、ピン４０のフック４１がカム体ＣＡＭの往路Ｇｆを移動しロック凹部Ｇｔの位置に達する。この位置では姿勢維持部によってピン４０のフック４１がロック凹部Ｇｔの方向に付勢されるのでフック４１を積極的にガイドしなくともフックをロック凹部Ｇｔに導入してロック状態を現出する。これにより、カム体ＣＡＭのカム溝Ｇに形成される段部の数を低減してカム体ＣＡＭの厚さを低減でき、ロック機構Ｌの小型化により全体の小型化が可能なカードコネクタが合理的に構成された。
【００４６】
特に、ピン４０とレバー４５とを単一のバネ材を屈曲することにより作り出しているので、ピン４０の姿勢を維持する姿勢維持部としてバネ類を特別に備えずに済む。また、ピン４０と一体的に形成されたレバー４５との基端が比較的幅が広く形成されるので、この基端を嵌合凹部２２に嵌合させた場合には、ピン４０とレバー４５との姿勢を安定させ、ピン４０を目標姿勢に維持する精度を向上させる。更に、ピン４０とレバー４５とを別個に組み立てるものを想定すると、組み立て時の工程も少なくできる。
【００４７】
〔別実施形態〕
本発明は、上記した実施の形態以外に以下のように構成しても良い。
【００４８】
（ａ）図６（ａ）、（ｂ）に示すように、実施形態において示したカム溝Ｇの＃０３位置の段差を備えないようにカム溝Ｇを構成する。この構成では、カードＭを挿入方向に操作し、スライダーＳが作動端に達した後、操作力を低下させることにより圧縮コイルバネ２の付勢力によってスライダーＳがイジェクト方向に少し変位する。この変位の際にフック４１はピン４０の付勢力によってロック凹部Ｇｔの方向に向かう。これによりフック４１が往路Ｇｆに誤って進入することがなく、フック４１はロック凹部Ｇｔに導入される。
【００４９】
このように構成することにより、カム溝Ｇは最も深い底壁と、最も浅い底壁との２種の底壁レベルだけが存在することになり、カム体ＣＡＭの厚みを一層低減することが可能となる。
【００５０】
（ｂ）図７（ａ）、（ｂ）に示すように、実施形態において示したカム溝Ｇの＃０３位置の段差の位置をガイド部５１の形成方向から延長する方向に形成する。この構成では、カードＭを挿入方向に操作し、スライダーＳが作動端に達した後、操作力を低下させることにより圧縮コイルバネ２の付勢力によってスライダーＳがイジェクト方向に少し変位する。この変位の際にフック４１はピン４０の付勢力によってロック凹部Ｇｔの方向に向かう。これによりフック４１がロック凹部Ｇｔに導入される往路Ｇｆに誤って進入することはなく、＃０３の段差の部位を超えてロック凹部Ｇｔに導入される。
【００５１】
この後、カードＭを挿入方向に操作した場合には、スライダーＳと一体的の移動に伴いフック４１が＃０３位置の段差にガイドされることで、ガイド部５１に接触するものとなり、このフック４１が＃０４の段部を超えて最も深い底壁に導入される。
【００５２】
（ｃ）カム体ＣＡＭをスライダーＳに備え、ピン４０の基端側をボディＢに支持する。つまり、本発明では、スライダーＳの移動時にカム体ＣＡＭとピン４０とが相対移動するものでも良いため、実施例と逆にカム体ＣＡＭとピン４０とを支持する対象を変更することによっても同様の効果を奏する。
【図面の簡単な説明】
【００５３】
【図１】カードコネクタの分解斜視図
【図２】スライダーがイジェクト位置とロック位置とにある状態を示す断面図
【図３】ピンと係合部とスライダーとカム体とを示す分解斜視図
【図４】カム体の斜視図
【図５】カム体の平面とカム溝の概略とを示す図
【図６】別実施形態（ａ）のカム体の平面とカム溝の概略とを示す図
【図７】別実施形態（ｂ）のカム体の平面とカム溝の概略とを示す図
【符号の説明】
【００５４】
１            コンタクト
２            付勢機構（圧縮コイルバネ）
４０          ピン
４１          フック
４３          嵌合部
４６          係合部
５０          壁部
Ｂ            ボディ
５１          ガイド部
Ｌ            ロック機構
Ｓ            スライダー
Ｘ            仮想直線
Ｇｆ          往路
Ｇｒ          復路
Ｇｔ          ロック凹部
Ｅｊ          イジェクト位置
Ｌｏ          ロック位置
ＣＡＭ        カム体
【図１】
0004913026.tif 000002
【図２】
0004913026.tif 000003
【図３】
0004913026.tif 000004
【図４】
0004913026.tif 000005
【図５】
0004913026.tif 000006
【図６】
0004913026.tif 000007
【図７】
0004913026.tif 000008